(57)【要約】【課題】不透明な材料を用いても収納した書類を視認でき、のりや接着剤などを用いずに製造することのできるホルダを提供する。【解決手段】ホルダ１は、一枚のメインシートを谷折り線７により分けられた第１保持部３と第２保持部５とからなる。第１保持部は、下部に切れ目９を有し、下辺に第１切り欠け部１５を有し、左辺にインデックス片１９を有する。また、第２保持部５は、下辺に下押さえ片１３を有し、右辺に第２切り欠け部２３を有する。また、第１保持部３と第２保持部５の全面に丸穴１７を有する。【選択図】図１
2010094866.tif 000002
【特許請求の範囲】
【請求項１】
書類等を収納するホルダであって、メインシートの中間部に谷折り線が形成されて、開閉自在な第１保持部と第２保持部とが形成されており、
前記第１保持部の下部に、切れ目が設けられ、
前記第２保持部の下辺に、第１舌片を有する下押さえ片が設けられており、
前記第１舌片は、前記切れ目に係合可能である
ことを特徴とするホルダ。
【請求項２】
前記第１保持部の下辺の全体に、第１切り欠け部を有することを特徴とする請求項１に記載のホルダ。
【請求項３】
前記第１保持部および／または前記第２保持部に、穴が設けられていることを特徴とする請求項１または請求項２に記載のホルダ。
【請求項４】
前記穴が、複数設けられていることを特徴とする請求項３に記載のホルダ。
【請求項５】
前記穴が、円状であることを特徴とする請求項３または請求項４に記載のホルダ。
【請求項６】
前記メインシートを前記谷折り線で折り、前記第１保持部と前記第２保持部とを折り重ねた際に、
前記第１保持部の穴と前記第２保持部の穴とが重ならないように、前記穴が設けられている
ことを特徴とする請求項３ないし請求項５に記載のホルダ。
【請求項７】
前記メインシートの下辺以外のいずれかの辺に、インデックス片を有し、
前記インデックス片が、前記第２保持部に係合可能な第２舌片を有する
ことを特徴とする請求項１ないし請求項６に記載のホルダ。
【請求項８】
前記第２保持部が、前記インデックス片が係合する箇所に、第２切り欠け部を有することを特徴とする請求項７に記載のホルダ。
【請求項９】
前記第１舌片、前記第２舌片、前記切れ目の端部のいずれか１以上が、丸みを帯びていることを特徴とする請求項１ないし請求項８に記載のホルダ。
【請求項１０】
紙製であることを特徴とする請求項１ないし請求項９に記載のホルダ。
【発明の詳細な説明】
【技術分野】
【０００１】
本発明は、二つ折りにしたシートの間に書類等を挟んで収納できるようにしたホルダに関するものである。
【背景技術】
【０００２】
従来、この種のホルダとしては、プラスチックシートを中心線に沿って二つ折りにし、二つ折りにしたプラスチックシートを折り目に連なる一方の縁に沿って互いに接合したものが使用されていた（例えば、特許文献１参照）。
【０００３】
また、近年の地球環境保護意識の高まりから、プラスチックシートの代わりに、紙製のシートを使用することが考えられている。
【０００４】
【特許文献１】特開２０００−２３３５８８号公報
【発明の開示】
【発明が解決しようとする課題】
【０００５】
しかしながら、紙製シートを材料とすると、のりや接着剤を用いて二つ折りのシートを接合するため、環境負荷が高くなるというという問題点があった。また、紙は不透明な材料であるため、開かないと収納した書類の中身を確認できないという問題点もあった。
【０００６】
本発明は、前述した問題点に鑑みてなされたもので、その目的とすることは、不透明な材料を用いても収納した書類を視認でき、のりや接着剤などを用いずに製造することのできるホルダを提供することである。
【課題を解決するための手段】
【０００７】
前述した目的を達成するために、第１の発明は、書類等を収納するホルダであって、メインシートの中間部に谷折り線が形成されて、開閉自在な第１保持部と第２保持部とが形成されており、前記第１保持部の下部に、切れ目が設けられ、前記第２保持部の下辺に、第１舌片を有する下押さえ片が設けられており、前記第１舌片は、前記切れ目に係合可能であることを特徴とするホルダである。
【０００８】
また、前記第１保持部の下辺の全体に、第１切り欠け部を有することが望ましい。
【０００９】
さらに、前記第１保持部および／または前記第２保持部とに、複数の円状の穴が設けられていることが望ましく前記メインシートを前記谷折り線で折り、前記第１保持部と前記第２保持部とを折り重ねた際に、前記第１保持部の穴と前記第２保持部の穴とが重ならないように、前記穴が設けられていることが望ましい。
【００１０】
前記メインシートの下辺以外のいずれかの辺に、インデックス片を有し、前記インデックス片が、前記第２保持部に係合可能な第２舌片を有し、前記第２保持部が、前記インデックス片が係合箇所に、第２切り欠け部を有し、前記第１舌片、前記第２舌片、前記切れ目の端部が、丸みを帯びていることが望ましい。
【００１１】
さらに、紙製であることが望ましい。
【発明の効果】
【００１２】
本発明により、不透明な材料を用いても収納した書類を視認でき、のりや接着剤などを用いずに製造することのできるホルダを提供することができる。
【発明を実施するための最良の形態】
【００１３】
以下図面に基づいて、本発明の実施形態を詳細に説明する。
図１は、本実施形態に係る組立て前のホルダ１を示す図である。図１において、実線部分は切断加工を行う線であり、点線部分は筋押し加工を行う線である。ホルダ１は、一枚の四角形状のメインシートを谷折り線７により分けられた第１保持部３と第２保持部５とからなる。第１保持部３は、下部に切れ目９を有し、下辺に第１切り欠け部１５を有し、左辺にインデックス片１９を有する。また、第２保持部５は、下辺に下押さえ片１３を有し、右辺に第２切り欠け部２３を有する。また、第１保持部３と第２保持部５の全面に丸穴１７を有する。
【００１４】
第１保持部３は谷折り線７の左側のメインシートを指し、第２保持部５は、谷折り線７の右側のメインシートを指す。
【００１５】
谷折り線７は、第１保持部３と第２保持部５の境界に設けられており、筋押し加工されている。
【００１６】
切れ目９は、第１保持部３の下部に、第１保持部３の下辺と平行に切断加工されている。
【００１７】
インデックス片１９は、第１保持部３の左辺に突出して設けられており、インデックス片１９と第１保持部３の境界に、第１保持部３に突出するように第２舌片２１の切断加工がされている。
【００１８】
インデックス片１９は、略四角形状であり、第１保持部３の左辺に左に凸に設けられ、第１保持部３より突出可能であり、突出した部分の角は丸くなっている。インデックス片１９は、第１保持部３より突出し、ホルダ１の使用時にインデックスとして用いることができる。
【００１９】
第２舌片２１は、半円形状であり、第１保持部３に右に凸に設けられ、第１保持部３より突出可能である。
【００２０】
第２舌片２１は、第１保持部３と第２保持部５とを折り重ねた際に、第２保持部５の第２切り欠け部２３に係合し、第１保持部３と第２保持部５とを折り重ねた状態を維持する。
【００２１】
第１切り欠け部１５は、第１保持部３の下辺に設けられており、第１保持部３の下辺全体に広がっている。第１切り欠け部１５により、第１保持部３と第２保持部５を折り重ねた際に、下押さえ片１３を折り曲げやすくなる。
【００２２】
下押さえ片１３は、第２保持部５の下辺に突出して設けられており、角が曲線の台形状の片である。第１舌片１１は、下押さえ片１３の一部を切断加工して設けられている。
【００２３】
第１舌片１１は、図１では、上に凸に設けられており、第１保持部３と第２保持部５とを折り重ねて下押さえ片１３を折り曲げた際に、第１舌片１１は下に凸になり、切れ目９と係合する。
【００２４】
第２切り欠け部２３は、第２保持部５の右辺に設けられており、第１保持部３と第２保持部５とを折り重ねた際に、第２舌片２１が係合しやすいように設けられている。
【００２５】
第１舌片１１、第２舌片２１、切れ目９の端部は丸みを帯びており、折り曲げや係合などを繰り返しても、メインシートが破れにくい。
【００２６】
丸穴１７は、第１保持部３と第２保持部５の全面に設けられている。丸穴１７は、円形状であるため、ホルダ１に書類を収納する際に、書類の角が引っかかりにくい。また、丸穴１７に代えて四角形の穴や星型の穴など、さまざまな形状の孔を設けることが可能であり、穴の数や配置も変更可能である。
【００２７】
また、図２は、本実施の形態の別の実施態様に係る丸穴１７とつなぎ１８を示す図である。図２に示すように、丸穴１７の箇所を、周の全部を切断せずに、切断加工時の刃物の一部を削り、第１保持部３とのつなぎ１８を残してもよい。製造時につなぎ１８を残し、ホルダ１の組立て後に、使用者がつなぎ１８を切断し、丸穴１７をくり抜くようにしてもよい。くり抜いた箇所より標語やキャッチコピーを見せるようにすると、高い宣伝効果を得られる。
【００２８】
ホルダ１を構成する材料は、特に限定されず、プラスチックや紙などを用いることができるが、環境保護の点から、紙製にすることが好ましい。
【００２９】
次に、ホルダ１の組立て方法について説明する。ホルダ１は、図１に示すように中央に谷折り線７を有する一枚のシートである。ホルダ１を谷折り線７で折り、第１保持部３を第２保持部５の上に折り重ねる。次に、下押さえ片１３を第１保持部３の上に折り重ね、第１舌片１１を切れ目９に係合させて組み立てる。
【００３０】
図３は、本実施の形態に係る組立て後のホルダ１を示す図である。細い破線は、カクレ線を示している。第１保持部３と第２保持部５を重ねると、第１保持部３の丸穴１７と第２保持部５の丸穴１７とが交互に並ぶように、丸穴１７の位置が配置されている。第２保持部５に記載されている内容を、第１保持部３の丸穴１７を通じて判読可能であり、第１保持部３に記載されている内容は、第２保持部５の丸穴１７を通じて判読可能である。また、ホルダ１に書類を収納しても、第１保持部３の丸穴１７か第２保持部５の丸穴１７を通じて、書類の有無や内容を確認可能である。
【００３１】
本実施形態によれば、のりや接着剤などを使わずに第１保持部３と第２保持部５とを綴じることができ、環境負荷の低いリサイクル可能なホルダを製造することができる。
【００３２】
また、本実施形態によれば、不透明な材質を用いても、ホルダ１に収納した書類を観察可能である。
【００３３】
また、本実施形態によれば、第１保持部３または第２保持部５の、組立て後の書類ホルダ１の内側になる部分にも宣伝や広告を印刷しても、外から印刷部分の一部を見ることができ、ノベルティ商品、販促商品として用いることができる。
【実施例】
【００３４】
以下、本発明について実施例を用いて具体的に説明する。
［実施例１］
（ホルダ１の作製）
図１に示すホルダ１を、白板紙より以下のサイズで切り出す。
1)ホルダ１(メインシート)のサイズ
・高さ：310mm(下押さえ片(高さ45mm)を含まず)
・幅：440mm（インデックス片１９を含まず）
2)切れ目９のサイズ
・長さ：45mm
・第１切り欠け部１５からの距離：19mm
3)第１舌片１１のサイズ
・下押さえ片１３の折り曲げ部に平行な辺：40mm
・下押さえ片１３の折り曲げ部に平行でない辺(高さ)：12.5mm
・第１舌片１１の上端と下押さえ片１３の折り曲げ部との距離：14mm
4)第２舌片２１のサイズ
・高さ：21mm
・幅：10.5mm
5)インデックス片１９のサイズ
・高さ：70mm
・幅：20mm
6)第１切り欠け部１５のサイズ
・高さ：3mm
7)第２切り欠け部２３のサイズ
・高さ：22mm
・幅：3mm
【００３５】
以上、添付図面を参照しながら、本発明にかかるホルダの好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３６】
【図１】本実施の形態に係る組立て前のホルダ１を示す図。
【図２】本実施の形態の別の実施態様に係る丸穴１７とつなぎ１８を示す図。
【図３】本実施の形態に係る組立て後のホルダ１を示す図。
【符号の説明】
【００３７】
１………ホルダ
３………第１保持部
５………第２保持部
７………谷折り線
９………切れ目
１１………第２舌片
１３………下押さえ片
１５………第１切り欠け部
１７………丸穴
１８………つなぎ
１９………インデックス片
２１………第１舌片
２３………第２切り欠け部
【図１】
2010094866.tif 000003
【図２】
2010094866.tif 000004
【図３】
2010094866.tif 000005